(57)【要約】【課題】正則化付きにおいて使用される正則化関数の強度を表す正則化パラメータの推定方法において、更なる改善策を提供すること。【解決手段】実施形態に係る放射線画像診断装置は、取得部と、推定部と、再構成処理部と、を具備する。取得部は、放射線の検出データを取得する。推定部は、検出データに対して設定された再構成撮像視野（ｄ−ＦＯＶ）に基づいて、逐次近似再構成処理に用いる正則化関数の正則化パラメータを推定する。再構成処理部は、検出データに基づき、推定部により推定された正則化パラメータを有する正則化関数による逐次近似再構成処理を行い、再構成画像を生成する。【選択図】      図２Ａ
2017189612.tif 000002
【特許請求の範囲】
【請求項１】
放射線の検出データを取得する取得部と、
前記検出データに対して設定された再構成撮像視野（ｄ−ＦＯＶ）に基づいて、逐次近似再構成処理に用いる正則化関数の正則化パラメータを推定する推定部と、
前記検出データに基づき、前記推定部により推定された前記正則化パラメータを有する正則化関数による逐次近似再構成処理を行い、再構成画像を生成する再構成処理部と、
を具備する放射線画像診断装置。
【請求項２】
前記推定部は、所定の統計的特性を有する前記再構成画像を生成するための前記正則化パラメータを推定する請求項１記載の放射線画像診断装置。
【請求項３】
前記所定の統計的特性は、低コントラスト検知能モデルパラメータ、変調伝達関数パラメータ、ノイズパワースペクトルパラメータ、ディープライムメトリック、および標準偏差の１つである請求項１記載の放射線画像診断装置。
【請求項４】
前記推定部は、順投影行列および逆投影行列を含み且つ前記順投影行列および前記逆投影行列の積は非単位行列であるシステムモデルを使用して、前記正則化パラメータを推定する請求項１乃至３のうちいずれか一項記載の放射線画像診断装置。
【請求項５】
前記推定部は、逆投影行列および順投影行列を含む行列積の三次元フーリエ変換の計算を使用して、前記正則化パラメータを推定する請求項１乃至４のうちいずれか一項記載の放射線画像診断装置。
【請求項６】
前記推定部は、シフト不変ヘッセ行列の近似の計算を使用して前記正則化パラメータを推定する請求項１乃至４のうちいずれか一項記載の放射線画像診断装置。
【請求項７】
前記推定部は、シフト不変ヘッセ行列の近似、逆投影行列、対角線重み行列、統計的重み行列、および順投影行列を含む行列積、前記逆投影行列、前記統計的重み行列、重みキャップが適用された対角線重み行列、および前記順投影行列を含む行列積、を表す複数の行列のそれぞれの局所的応答アレイの三次元フーリエ変換を使用して前記正則化パラメータを推定する請求項１乃至６のうちいずれか一項記載の放射線画像診断装置。
【請求項８】
前記推定部は、
前記正則化パラメータの範囲を決定し、
前記の中間値を計算し、
前記中間値で評価された場合に、前記正則化パラメータを推定するための目的関数が所定の閾値未満の絶対値を有するかどうかを判定し、
前記中間値で評価された前記目的関数が前記所定の閾値未満の絶対値を有する場合、前記中間値を返し、
前記中間値で評価された前記目的関数が前記所定の閾値超の大きさを有しかつ前記中間値で評価された前記目的関数の符号が前記範囲の上限値を使用して評価された前記目的関数の符号と等しい場合、前記範囲の上限値を前記中間値に設定し、
前記中間値で評価された前記目的関数が前記所定の閾値超の大きさを有しかつ前記中間値で評価された前記目的関数の符号が前記範囲の下限値を使用して評価された前記目的関数の符号と等しい場合、前記下限値を前記中間値に設定する、
ことによって二分求根法を使用して前記正則化パラメータを予測する請求項１乃至７のうちいずれか一項記載の放射線画像診断装置。
【請求項９】
前記再構成撮像視野（ｄ−ＦＯＶ）は、所定の関心領域が前記再構成画像内の一様な密度の領域内に配置されるように、前記検出データに対して設定される請求項１乃至８のうちいずれか一項記載の放射線画像診断装置。
【請求項１０】
前記正則化関数は、二次正則化関数、非二次正則化関数、およびＨｕｂｅｒ正則化関数、および全変動最小化正則化関数の少なくとも１つ以上である請求項１乃至９のうちいずれか一項記載の放射線画像診断装置。
【請求項１１】
前記推定部は、ニュートンの求根法、セカント求根法、二分求根法、補間ベースの求根法、逆数補間ベースの求根法、ブレントの求根法、ブーダン＝フーリエベースの求根法、およびスツルム列ベースの求根法のうちの少なくとも１つの求根法を使用して、前記正則化パラメータを推定する請求項１乃至１０のうちいずれか一項記載の放射線画像診断装置。
【請求項１２】
前記推定部は、所定のキャップ値を使用して決定された対角線値を含む重み行列を使用して、前記正則化パラメータを推定する請求項１乃至１１のうちいずれか一項記載の放射線画像診断装置。
【請求項１３】
前記重み行列の前記対角線値は、逆分散の二乗と、前記逆分散および前記キャップ値の間の最小値との間の比を用いて決定される請求項１乃至１２のうちいずれか一項記載の放射線画像診断装置。
【請求項１４】
前記放射線の検出データは、コンピュータ断層撮影投影データ又は陽電子断層撮影検出データである請求項１乃至１３のうちいずれか一項記載の放射線画像診断装置。
【請求項１５】
前記画像再構成は、前記正則化パラメータ、前記再構成撮像視野（ｄ−ＦＯＶ）、前記逐次近似再構成処理に用いられる逆投影行列及び順投影行列を用いて目的関数を解くことにより、前記再構成画像の所定の関心領域における標準偏差を計算する請求項１乃至１４のうちいずれか一項記載の放射線画像診断装置。
【請求項１６】
前記推定部は、前記逐次近似再構成処理前に所定の参照データを用いて、前記再構成撮像視野（ｄ−ＦＯＶ）の前記正則化パラメータを推定する請求項１乃至１５のうちいずれか一項記載の放射線画像診断装置。
【請求項１７】
前記推定部は、前記逐次近似再構成処理によって得られる前記再構成画像に含まれる所定の領域内のノイズの分散値を用いて、前記正則化パラメータを推定する請求項１乃至１６のうちいずれか一項記載の放射線画像診断装置。
【請求項１８】
前記推定部は、前記逐次近似再構成処理によって得られる前記再構成画像についての所望の局所空間解像度を基準として、前記正則化パラメータを推定する請求項１乃至１６のうちいずれか一項記載の放射線画像診断装置。
【請求項１９】
前記推定部は、前記逐次近似再構成処理によって得られる前記再構成画像ついての低コントラスト分解能を基準として、前記正則化パラメータを推定する請求項１乃至１６のうちいずれか一項記載の放射線画像診断装置。
【請求項２０】
前記推定部は、検出能に関する指標を用いて重み付けされた前記検出データを用いて、前記正則化パラメータを推定する請求項１乃至１６のうちいずれか一項記載の放射線画像診断装置。
【請求項２１】
放射線の検出データに対して設定された再構成撮像視野（ｄ−ＦＯＶ）に基づいて、逐次近似再構成処理に用いる正則化関数の正則化パラメータを推定する推定部と、
前記検出データに基づき、前記推定部により推定された前記正則化パラメータを有する正則化関数による逐次近似再構成処理を行い、再構成画像を生成する再構成処理部と、
を具備する医用画像処理装置。
【発明の詳細な説明】
【技術分野】
【０００１】
本実施形態は、放射線画像診断装置及び医用画像処理装置に関する。
【背景技術】
【０００２】
Ｘ線コンピュータ断層撮影（ＣＴ）および陽電子断層撮影（ＰＥＴ）のいずれにおいても、逐次近似再構成が被検体の再構成画像を生成するために使用されることが可能である。両ケースにおいて、システム行列Ａは、検出Ｘ線データｙと再構成画像ｘの関係を表すために使用されることが可能であり、システム行列式（１）のように表現される。
【０００３】
【数１】
2017189612.tif 000003
【０００４】
ＣＴ画像再構成では、システム行列Ａは被検体を通過するＸ線の軌道を表し、被検体を通過した後のＸ線強度は被検体を貫くＸ線軌道に沿った減衰に依存する。ＰＥＴでは、システム行列Ａは、１回の電子−陽電子消滅イベントによる２つのＸ線の検出によって示される同時計数線（ＬＯＲ）を表す。ＬＯＲは、消滅イベントによる２つのＸ線を検出する２つの検出器の間の線を意味する。
【０００５】
代数的再構成技術等の様々な反復再構成（ＩＲ）法があるが、１つの一般的なＩＲ法は、式（２）によって表現される最適化問題を解いて中括弧内の費用関数を最小化する引数ｘを得ることである。
【０００６】
【数２】
2017189612.tif 000004
【０００７】
例えば、Ｘ線ＣＴにおいて、ＡはＸ線源から被検体ＯＢＪを介してＸ線検出器までのＸ線軌道（例えば、所与のＸ線経路を表す線積分またはラドン変換またはＸ線変換）を表すシステム行列であり、ｙは一連の投影角度で生成された投影画像（例えば、Ｘ線検出器でのＸ線強度）を表し、ｘは被検体ＯＢＪのＸ線減衰の再構成画像を表す。例えば、Ｘ線検出器要素間のノイズが相互に関連しない場合、重み行列Ｗは投影データのノイズの逆行列とされることが可能である。システム行列項は、再構成画像ｘの順投影Ａが、測定された投影画像ｙの全てに対して良好な近似をもたらす場合、最小になる。上記の式において、Ｕ（ｘ）は正則化関数であり、βは、システム行列項および正則化項の相対的な寄与に重み付けする正則化パラメータである。
【０００８】
正則化によって改良されたＩＲ法は、フィルタ補正逆投影等の他の再構成法に対して複数の長所を有し得る。例えば、正則化によって改良されたＩＲ法は、投影データがまばらな投影角度（すなわち少数の視界での投影データ）のみを含んでいる場合または信号対ノイズ比が低い（すなわちノイズの多い投影データ）場合であっても、高品質な再構成を生むことが可能である。少数の視界、限られた角度、およびノイズの多い投影データの場合、正則化関数を使用することにより、一部の被検体ＯＢＪの推測的モデルによっては再構成画像に所定の特徴が加わる。例えば、減衰係数が正であることを強制することは、各ピクセルがＸ線を吸収するかまたは透明であるという（すなわち、Ｘ線の増大はない）推測的モデル（このことは、実際問題として、臨床用途において実質的に確かなものである）に基づく正則化をもたらし得る。文言「ピクセル」は、任意の次元のアレイにおける値を指し、例えば二次元画像アレイにおける二次元のピクセル、三次元画像アレイにおける三次元ボリュームピクセルすなわちボクセルを含む。
【０００９】
同様に、他の正則化項は、再構成画像に課される特徴または制約についての推測的知識に依存し得る。例えば、凸集合（ＰＯＣＳ）への投影と併せて「全変動」（ＴＶ）を最小化することも、非常に良く知られている正則化方式である。ＴＶ最小化アルゴリズムは、画像が、広い領域の大部分に亘って一様でありかつ一様な領域の境界で遷移が鮮明であることを前提としている。これは、様々な器官の臨床画像について概ね当てはまり、各器官は当該器官の全体に亘ってほぼ一定のＸ線吸収係数を示す（例えば、骨はある第１の吸収係数を有し、肺はある第２の第２係数を有し、心臓はある第３の係数を有し得る）。推測的モデルが画像オブジェクトＯＢＪによく合致する場合、これらの正則化付きＩＲアルゴリズムは、たとえ再構成問題が著しく劣決定されて（例えば若干の視界シナリオのみ、投影角度が欠けている、またはノイズが多い）いても、良好な画質を生成することが可能である。
【００１０】
正則化項は一般的に再構成画像ｘのノイズ特性を向上させることが可能であり、再構成画像における信号対ノイズ比についての改善の程度は正則化パラメータβの大きさに依存する。βが大きいと、再構成画像の信号対ノイズ比は減少し得、βが小さいと、再構成画像の信号対ノイズ比は増加し得る。他方、正則化パラメータβを非常に大きくすることは、正則化関数の選択によっては、空間解像度の妨げとなり得る。
【００１１】
加えて、再構成画像の信号対ノイズ比は、画像視野（ｄＦＯＶ）のサイズ、順投影行列および逆投影行列によって表現されたシステムモデル、および投影データの統計的特性に依存する可能性がある。現在の方法は、正則化付きＩＲ（これは投影データ、システムモデル、およびｄＦＯＶの所与の組についての特定の統計的特性を有する再構成画像を生成することを約束する）の実行前に正則化パラメータβを選択するには不十分である。ある再構成タスクについての正則化パラメータβを選択しかつ特定のノイズ特性および画質を有する再構成画像を達成するための現在の方法のこのような制限は、ＣＴシステムおよびＰＥＴシステムの両方に当てはまる。
【００１２】
ＰＥＴシステムは、医用画像において広く使用される。陽電子断層撮影（ＰＥＴ）では、放射性医薬品が、注入、吸入、または摂取によって撮影対象に導入される。放射性医薬品の投与後、放射性医薬品の物理的および生体分子的特性によって、人体中の特定の位置に薬剤が集結する。放射性医薬品の実際の空間的分散、薬剤が蓄積した領域の強度、および投与からその最終的な排出までの過程の動態は、全て臨床上、意義のあり得る要素である。この過程において、放射性医薬品に付着した陽電子放射体は、半減期、分岐比等の同位体の物理的性質に従って陽電子を放射する。
【００１３】
放射性核種は陽電子を放射し、放射された陽電子が電子と衝突すると消滅イベントが起こり、消滅イベントにおいて陽電子と電子は結合する。大抵の場合、消滅イベントは実質的に１８０度離れて進行する２つの（５１１ｋｅＶの）γ線を生成する。
【００１４】
断層撮影の再構成原理によって放射性同位体の時空的分布を再構成できるためには、検出された各イベントが、そのエネルギー（すなわち生成された光の量）、その位置、およびそのタイミングについて特徴付けられる必要がある。２つのγ線を検出しかつそれらの位置の間に線、すなわち同時計数線（ＬＯＲ）を引くことによって、最初の崩壊と思われる位置を割り出すことが可能である。この処理は、単に相互作用の可能性のある線を、それらの同時計数線を多く累積することによってかつ断層撮影の再構成処理を通じて特定するのみであり、本来の分布は推定がなされ得る。２つのシンチレーションイベントの位置に加えて、（数百ピコセカンド以内の）正確なタイミングが利用可能であれば、飛行時間（ＴＯＦ）を計算することにより、同時計数線に沿ったイベントと思われる位置に関するより多くの情報を加えることが可能である。スキャナの時間分解能における制限が、この同時計数線に沿った位置決め精度を左右する。多くのイベントを収集することが、断層撮影の再構成を通じて推定される被検体画像にとって必須の情報を作り出す。
【００１５】
ＰＥＴ画像システムは、被検体からのγ線放射を検出するために互いに離れて配置された検出器を使用する。検出器の輪が、各角度から到来するγ線を検出するために使用されることが可能である。このように、ＰＥＴスキャナはできるだけ多くの放射線を取り込めるように実質的に円筒状であり、すなわち、定義によれば、等方性である。ＰＥＴスキャナは数千の個々の水晶（すなわちシンチレータ要素）から構成されることが可能である。水晶は、それぞれのシンチレーションイベントによる光パルスを測定するための光検出器とともにモジュールへとパッケージ化された二次元のシンチレータアレイで配置される。光検出器によって測定された相対的なパルスエネルギーは、シンチレーションイベントの位置を特定するために使用される。
【００１６】
コンピュータ断層撮影（ＣＴ）システムは、ＰＥＴシステムと複数の類似点および複数の相違点を有する。ＣＴシステムおよびＣＴ方法も、医用撮影および医用診断向けに幅広く使用される。一般的に、ＣＴシステムは、被検体の身体を貫く１以上の断面スライスの画像を作成する。Ｘ線源等の放射線源は、身体に一方の側から照射する。Ｘ線源の付近には、通常、コリメータがあり、コリメータはＸ線ビームの角度範囲を制限する。そうすることで、身体に作用する放射線は、身体の１つの断面スライスを定義する平面領域（またはボリューム領域）へと実質的に制限される。身体の反対側にある少なくとも１つの検出器（一般的には１つ以上の多数の検出器）は、実質的にスライスの平面内で身体を通過した放射線を受ける。身体を通過した放射線の減衰は、検出器から受信された電気信号を処理することによって測定される。一連の投影角度での投影データ（すなわちＣＴスキャン）は、次いで、サンプリングされた平面領域（またはボリューム）の画像を再構成するために記録かつ／または処理される。
【００１７】
ＣＴサイノグラムは、第１軸（または軸の組）に沿った検出器アレイに沿った「空間」および第２軸に沿ったＣＴスキャンの「時間／角度」の関数として身体による減衰を表示する投影データの構成である。空間次元は、Ｘ線検出器の１次元配列に沿った位置を指す。時間／角度次元は、時間の関数として変化するＸ線の投影角度を指し、時間の経過とともに投影角度が増加し、線形の一連の投影角度において投影の測定が実行される。特定のボリュームによる減衰は、垂直軸のまわりで正弦波を描き、回転軸からより離れたボリュームはより大きな振幅の正弦波を有し、正弦波の位相は回転軸のまわりのボリュームの角度位置を決定する。逆ラドン変換または同等な画像再構成法を実行することにより、サイノグラムにおける投影データによる画像が再構成される。再構成画像は身体の断面スライス（またはボリューム）に対応する。
【発明の概要】
【発明が解決しようとする課題】
【００１８】
正則化付き逐次近似再構成（ＩＲ）を使用して放射線検出データから再構成される再構成画像の特性（例えば画像の統計的特定および局所空間解像度）と、ＩＲにおいて使用される正則化関数の強度を表す正則化パラメータと、の関係の推定する方法は、更なる改善が依然として望まれている。
【００１９】
目的は、例えば、再構成画像の画像視野（ｄＦＯＶ）、放射線検出データの統計的特性、および順投影行列および逆投影行列を含むシステムモデルを用いた、順投影行列および逆投影行列がマッチする必要のないように補償するために再構成画像特性と正則化パラメータの関係を推定する方法において、さらなる改善策を提供することである。
【課題を解決するための手段】
【００２０】
本実施形態に係る放射線画像診断装置は、取得部と、推定部と、再構成処理部と、を具備する。取得部は、放射線の検出データを取得する。推定部は、検出データに対して設定された再構成撮像視野（ｄ−ＦＯＶ）に基づいて、逐次近似再構成処理に用いる正則化関数の正則化パラメータを推定する。再構成処理部は、検出データに基づき、推定部により推定された正則化パラメータを有する正則化関数による逐次近似再構成処理を行い、再構成画像を生成する。
【図面の簡単な説明】
【００２１】
【図１Ａ】図１Ａは、４８０ｍｍの画像視野（ｄＦＯＶ）を有する再構成画像を示す。
【図１Ｂ】図１Ｂは、２４０ｍｍの画像視野（ｄＦＯＶ）を有する再構成画像を示す。
【図１Ｃ】図１Ｃは、１２０ｍｍの画像視野（ｄＦＯＶ）を有する再構成画像を示す。
【図１Ｄ】図１Ｄは、６０ｍｍの画像視野（ｄＦＯＶ）を有する再構成画像を示す。
【図２Ａ】図２Ａは、再構成画像、ｄＦＯＶ、システムモデル、および放射線検出データの統計的特性の所定の指定内容に従って正則化パラメータを予測しかつ予測された正則化パラメータを使用して画像を反復再構成するための、一実装に従った方法のフローチャートを示す。
【図２Ｂ】図２Ｂは、正則化パラメータを予測するための超越目的関数を計算する処理のフローチャートを示す。
【図３】図３は、正則化パラメータを予測するための超越目的関数等の等式の根を求めるための、一実装に従った処理のフローチャートを示す。
【図４Ａ】図４Ａは、４００ｍｍの画像視野（ｄＦＯＶ）を有しかつ示された領域内で２０ハウンズフィールドユニット（ＨＵ）の標準偏差となると予測された正則化パラメータを使用して再構成された再構成画像を示す。
【図４Ｂ】図４Ｂは、２００ｍｍの画像視野（ｄＦＯＶ）を有しかつ図４において使用されるのと同じ正則化パラメータを使用して再構成された再構成画像を示す。
【図４Ｃ】図４Ｃは、２００ｍｍの画像視野（ｄＦＯＶ）を有しかつ示された領域内で２０ＨＵの標準偏差となると予測された正則化パラメータを使用して再構成された再構成画像を示す。
【図５】図５は、一実装に従ったＣＴスキャナの実装の概略図を示す。
【発明を実施するための形態】
【００２２】
統計ベースの逐次近似再構成（ＩＲ）は、Ｘ線コンピュータ断層撮影（ＣＴ）および陽電子断層撮影（ＰＥＴ）ベースの画像再構成についての複数の長所を持つ。例えば、統計ベースＩＲは、被検体の良質な画像を再構成するために様々な物理的影響を取り入れた正確なシステムモデルを取り込むことを可能にする。したがって、統計ベースＩＲは、有利なことに、従来の分析手法より高画質の画像を生成することを可能にする。ＩＲを使用して再構成された画像の質は、正則化技術を取り込むことによってさらに向上させられることが可能である。正則化技術は、再構成画像のノイズ特性を制御するために使用されることが可能である。正則化項を適切に選択または設計することによって、器官の境界、および器官中のならびに器官間の微細構造、のまわりの明瞭なエッジ等の画像特徴を維持しつつ再構成画像中のノイズが抑制されることが可能である。
【００２３】
正則化付きＩＲが強力なツールである一方、多くの課題が依然残る。例えば、正則化関数の強度を最適化するための正則化パラメータを選択する現在の方法では、正則化パラメータおよび画像視野（ｄＦＯＶ）の所与の選択についての対応する再構成画像において得られるノイズ特性は正確には予測されない。したがって、ＣＴおよびＰＥＴ用のＩＲの多くのユーザが、再構成画像における所望のノイズレベルを得るために必要な正則化パラメータの大きさを推測しなければならない。ユーザが所望／許容の範囲を超えた再構成画像ノイズレベルにつながる正則化パラメータを誤って推測した場合、ユーザは、所望のノイズ特性を有する正則化パラメータおよび再構成画像をやがて推測できることを望みつつ、別の正則化パラメータの推測および再構成処理を再三繰り返さなければならない。
【００２４】
さらに、ユーザが続いてｄＦＯＶを変更する場合、または統計的特性の異なる別のＸ線データを使用する場合、ユーザは各変更について、推測およびチェック手順を繰り返さなければならない。放射線検出データ（放射線検出データはＣＴ投影データおよびＰＥＴデータの両方を含む）およびｄＦＯＶが異なると、再構成画像でのノイズ特性が異なることになるからである。また、再構成画像のノイズ特性は、システムモデルにおいて使用される順投影行列および逆投影行列の選択にも依存し得る（例えば、システムモデルは、順投影について使用されるシステム行列Ａおよび逆投影行列Ｂを含み、これらはハーフスキャンが実行されているかフルスキャンが実行されているか、および様々な投影角度の重みの相対関係に依存する）。このように、再構成画像の集合において一貫したノイズ特性を維持するためには、上記のパラメータのうちのいずれかが変化するなら、相応して、再構成画像の集合における一貫した統計的特性を維持するための正則化パラメータは変化する。さらに、正則化パラメータをどれだけ変更するべきかの知識は、正則化パラメータを上記パラメータの関数として再構成画像の統計的特性に関連付けることが可能な方法に依存する。この関係が与えられれば、再構成画像において所望の統計的特性を生成する正則化パラメータを予測することが可能である。本実施形態の記載の方法および装置は、正則化パラメータと、正則化パラメータが依存する上記のパラメータの関係を説明かつ適用する。
【００２５】
再構成画像の所望の統計的特性に対応する正則化パラメータを予測する方法無しでは、ユーザは、どの正則化パラメータが再構成画像のどのようなノイズ特性につながるかを推測および確認する上記の経験的なサイクルをするに限られる。この経験的サイクルは非効率であり得る。
【００２６】
次に図面（図面において、同様の参照数字は複数の図面にわたって同一または対応する部分を指す）を参照すると、図１Ａ、図１Ｂ、図１Ｃ、および図１Ｄは、同じＣＴ投影データから生成されたがｄＦＯＶの異なる画像を示す。各再構成画像は同じデータセットおよび同じ正則化パラメータを使用する。図１Ａ、図１Ｂ、図１Ｃ、および図１ＤについてのｄＦＯＶサイズは、それぞれ４８０ｍｍ、２４０ｍｍ、１２０ｍｍ、および６０ｍｍである。各再構成画像において、被検体の同じ物理的領域に対応する関心領域（ＲＯＩ）が示される。これらの領域の統計的特性が比較され、ｄＦＯＶサイズが小さくなるとＲＯＩ内の分散が増加することが分かった。
【００２７】
（異なるｄＦＯＶとは違って）異なるデータセットの比較では、例えば、異なるデータセットから再構成された画像におけるノイズは、Ｘ線線量レベルおよび被検体サイズが異なるので、異なるということが分かるだろう。したがって、一貫したノイズ特性（例えば分散）が望まれる場合、あるデータセットには適している正則化パラメータと同じ正則化パラメータは他のデータセットには適していないかもしれない。すなわち、図１Ａ、図１Ｂ、図１Ｃ、および図１Ｄと同様に、異なる被検体または同じ被検体であっても異なる器官／領域であれば異なるデータセットに対しては、様々な再構成画像間で一貫したノイズパラメータを維持できるように異なる正則化パラメータが必要であり得る。
【００２８】
したがって、再構成画像間でＩＲノイズ特性を安定させるために、正則化パラメータを選択することが使用されることが可能である。他方、正則化パラメータを任意にまたは指針無く選択することは、再構成画像のノイズ特性が不確かなものとなったり著しくばらついたりすることにつながり得る。正則化パラメータを再構成画像のノイズ特性に結び付けるために、本実施形態に記載の方法によれば、正則化パラメータを予測することによって、放射線検出データ、ｄＦＯＶサイズ、および画像再構成用のシステムモデルの統計的特性を補償しつつ所望のノイズ特性を達成することが可能になる。このように、本実施形態に記載の方法によって、臨床評価目的により良く役立つように、再構成された臨床画像における一貫したノイズ特性が可能になる。
【００２９】
本実施形態に記載の方法は、複数の利点をもたらす。第１に、本実施形態に記載の方法は、逐次近似再構成の画像ノイズを線量レベル、ｄＦＯＶサイズ、患者の特徴等と無関係にするノイズ一貫性をもたらすことが可能である。第２に、本方法は、正則化パラメータが再構成画像についての目標の標準偏差を生成するということをもたらすことが可能である。第３に、本方法は、非二次正則化関数を含め、正則化項の広い選択についての再構成画像のノイズ共分散の理論的予測をもたらすことが可能である。第４に、本方法は、マッチした投影行列およびマッチしていない投影行列の両方を含め、正則化付きＩＲにおいて使用されるどのようなＣＴシステムモデルも補償することが可能である。マッチしていない投影行列は、逆投影行列Ｂが順投影行列Ａの逆行列でない場合に起こり、マッチしている投影行列は、逆投影行列Ｂの順投影行列Ａとの行列積が単位行列を生成するように逆投影行列Ｂが順投影行列Ａの逆行列である場合に起こる。さらに、本実施形態に記載の方法は、例えばＣＴ投影データまたはＰＥＴデータの統計的特性を表す重み行列を使用することによって、線量レベル、患者サイズ、および他の物理的要素の影響といった考慮事項を補償する。第６に、本方法は、例えば全周スキャンモード（すなわち、軸に関し、ステップアンドシュート法）、ヘリカルスキャンモード、ダイナミックスキャンモード、フルスキャンモード、ハーフスキャンモードを含め、様々なスキャントポロジーおよびスキャンモードに適用される。また、ある実装では、本方法は、空間変数重み付け、近隣重み付け、および事前フィルタリングの影響を含めて正則化関数を広範囲に解析することを可能にする、非二次正則化項の局所的スペクトル応答を扱うための新規技術を含むことが可能である。最後に、本方法のさらに新規な変更が、重みのキャップ付きの共分散行列計算がノイズ低減量を線量に適応的にできるように、特定の実装に含められることが可能である。この新規な変更は、高線量レベルのデータにおいてノイズを自動的により少なくする。このことは、低コントラストな検出／撮影作業の場合に有益であり得る。
【００３０】
本実施形態に記載の方法は、正則化付きＩＲを使用して生成される再構成画像のノイズ特性に正則化パラメータを関連付ける。正則化付きＩＲは、以下の式（３）で表される費用関数を最小化する画像ｘを求めるものとして記述されることが可能である。
【００３１】
【数３】
2017189612.tif 000005
【００３２】
ｙは検出されたＸ線データであり、Ａは順投影（または順投影行列）であり、Ｗは重み行列であり、Ｕ（ｘ）は正則化関数であり、βは正則化パラメータである。正則化関数は、一般に、以下の式（４）で与えられる。
【００３３】
【数４】
2017189612.tif 000006
【００３４】
νｊはピクセルｊでの空間変化重みであり、ωｊｋはピクセルｊおよびｋ（Ｎｊはピクセルｊの近隣のピクセルである）についての近隣重みであり、ρ（  ）はポテンシャル関数である。ある実装では、正則化関数は、罰則関数の平滑さを制御する。ポテンシャル関数ρ（  ）の一例はＨｕｂｅｒ関数であり、Ｈｕｂｅｒ関数は、以下の式（５）で表される。
【００３５】
【数５】
2017189612.tif 000007
【００３６】
ｄは所定の定数である。ある実装では、等方的二次正則化関数は、当該正則化関数が式（６）で与えられるように使用されることが可能である。
【００３７】
【数６】
2017189612.tif 000008
【００３８】
ある実装では、異方的二次正則化関数が使用されることが可能である。このように、Ｈｕｂｅｒ関数に加えて、正則化関数Ｕ（ｘ）は任意の二次正則化関数、任意の非二次正則化関数、任意の全変動最小化正則化関数、または他の正則化関数を使用することが可能である。
【００３９】
再構成画像の統計は理論上、次の式（７）で与えられるＩＲノイズ共分散行列を使用してモデル化されることが可能である。
【００４０】
【数７】
2017189612.tif 000009
【００４１】
上記の式は、マッチしていない投影ペアを使用する影響を明示的にモデル化する。マッチしていない行列ペアを使用することは、計算を並列化させることによってＩＲ処理の著しい高速化を達成するのに有益であり得る。例えば、正則化付きＩＲは、ＧＰＵ（graphical processing unit）等の大量に並列計算を行うハードウェアを使用して、大幅に高速化されることが可能である。
【００４２】
シフト不変ヘッセ行列は以下の近似を使用して、次の式（８）で計算されることが可能である。
【００４３】
【数８】
2017189612.tif 000010
【００４４】
行列Rの要素は以下の式（９）を使用して計算されることが可能である。
【００４５】
【数９】
2017189612.tif 000011
【００４６】
これは、次の式（１０）へと簡略化される。
【００４７】
【数１０】
2017189612.tif 000012
【００４８】
ある実装では、次の式（１１）で与えられる再構成画像の共分散は、Ｘ線データｙのノイズで重み付けされた共分散の要素がキャップされた値を有するように修正されることが可能である。
【００４９】
【数１１】
2017189612.tif 000013
【００５０】
すなわち、予測適応的データノイズは、Ｘ線データｙの修正済み共分散を使用してモデル化されることが可能であり、ＷＣｏｖ｛ｙ｝Ｗの対角線項の行列要素は、次の式（１２）となるように修正されることが可能である。
【００５１】
【数１２】
2017189612.tif 000014
【００５２】
キャップ値無しの実装では、統計的重みはデータ分散に反比例する。他の実装ではパラメータｃａｐが適用され、パラメータｃａｐは線量レベルに依存するものとされることが可能である。
【００５３】
再構成画像の共分散に対する近似の上記の実装のうちの１つを使用して、正則化パラメータβを再構成画像におけるノイズの所望の標準偏差に関連づける超越目的関数φ（  ）が定義されることが可能である。さらに、三次元高速フーリエ変換（ＦＦＴ）を使用すると、所与のデータセット、ＩＲシステムのモデル、ｄＦＯＶ、および正則化項について調整パラメータβが素早く予測されることが可能であるように上記の式は変形されることが可能である。こうして、ＦＦＴベースの解法が、次の式（１３）で表される目的関数の根について解くことによって生成されることが可能である。
【００５４】
【数１３】
2017189612.tif 000015
【００５５】
パラメータｃは画像強度のユニットに依存することが可能である。例えば、ハウンズフィールドユニットが再構成画像において使用される場合、パラメータｃは１０００／μｗａｔｅｒとされることが可能である。μｗａｔｅｒは、水による実効的なＸ線減衰係数である。
【００５６】
マッチしていない投影行列が使用される場合、パラメータγが適用される。なぜそうであるかを理解するために、次のことを考える。マッチしていない投影行列が使用される場合、λ（ラムダ）およびλ〜（ラムダチルダ）の差を補償するためのさらなるスケーリング係数が使用されない限り、ＢＴは目的関数の計算の際にＡによって置換されることが可能でない。そのようなスケーリング係数は、異なるスキャンにおいて取得された様々なデータセットを使用して再構成を複数回行うことを通じて、経験を通じて推定されることが可能である。基本的に仮定されていることは、ｄＦＯＶサイズが固定であれば、正則化パラメータの変更は当該スケーリング係数に影響しないはずであるということである。したがって、そのようなスケーリング係数は再構成画像において経験による実際の標準偏差と、上記の目的関数を使用して算出された、予測された標準偏差と、の間の比を取ることによって決定されることが可能である。
【００５７】
パラメータδは、エッジが再構成画像において保たれる程度に基づいて決定されることが可能である。例えば、δ＝１（ＨＵ）は、多くの場合、エッジのはっきりした画像につながる。パラメータδは上記の正則化関数についての式において与えられている。
【００５８】
パラメータτはピクセル相関に対応する。ほとんどの場合、τは例えば１．０の値に固定されることが可能である。
【００５９】
値の明示的説明の提示の目的で、まず、一般に、重み行列は、Ｗ＝ＷｒＷｓとして、対角線に沿って冗長重みを含んだ対角行列Ｗｒと、Ｗｓ＝ｃｏｖ−１｛ｙ｝で与えられる統計的重み行列へと分解されることが可能である。重みのキャッピングが適用される場合、統計的重み行列は、次の式（１４）として表されることが可能である。
【００６０】
【数１４】
2017189612.tif 000016
【００６１】
この背景で、超越目的関数において用いられる局所的スペクトルλｊ〜（ラムダチルダ）は、行列ＢＷｒＷｓＷｒＡの第ｊ列の三次元ＦＦＴとして計算されることが可能である（ある実装では、重みキャッピングが含まれ、別の実装では重みキャッピングは含まれない）。局所的スペクトルλｊは、行列ＢＷｒＷｓＡの第ｊ列の三次元ＦＦＴとして計算されることが可能である。局所的スペクトルμｊ〜（ミューチルダ）は、Ｒ〜（アールチルダ）の第ｊ列の三次元ＦＦＴとして算出されることが可能である。Ｒ〜（アールチルダ）の要素は、以下の式（１５）で与えられる。
【００６２】
【数１５】
2017189612.tif 000017
【００６３】
上記の式を適用し、図２Ａは、ピクセルｊでの指定されたノイズ標準偏差σｊＵＳＥＲを達成するために正則化パラメータβを予測する方法１００を示す。さらに、図２Ｂは、生データ、再構成画像における関心ピクセル／領域、ｄＦＯＶ、およびユーザ指定の標準偏差σｊＵＳＥＲの入力値に基づいた超越目的関数を計算する処理のフローチャートを示す。
【００６４】
方法１００のステップ１１０において、Ｘ線データｙが取得される。Ｘ線データはＣＴ投影データまたはＰＥＴデータであってよい。Ｘ線データｙは、ＣＴスキャナまたはＰＥＴスキャナによって実行された測定を使用して取得されることが可能である。あるいは、Ｘ線データｙはＸ線データが保存されたコンピュータ可読メモリから、以前に生成された投影データまたはＰＥＴデータを検索することによって取得されることが可能である。
【００６５】
方法１００のステップ１２０において、正則化パラメータの決定のための関心領域（例えば再構成画像におけるピクセル）が選択される。例えば、ユーザは、マウスを使用してスクリーン中のピクセルをクリックすることによって、またはピクセル座標を入力することによって、関心領域を指定することが可能である。また、ユーザは、複数のピクセルを囲む三次元幾何学形状における全ピクセルを含めるように関心領域を指定することが可能である。さらに、ユーザが望むノイズ標準偏差σｊＵＳＥＲが指定される。
【００６６】
【数１６】
2017189612.tif 000018
【００６７】
ある実装では、自動化されたアルゴリズムが、関心領域を定義するために使用されることが可能である。例えば、表１に概要が示された処理が、関心領域を自動的に選択するために使用されることが可能である。ｄＦＯＶ内のピクセルのうちのいずれが使用されてもよい。表１は、素早く安定的にピクセル座標が選択されることが可能な処理の例を示す。
【００６８】
複数のピクセルが関心領域の中にある場合、関心領域中の各ピクセルについて算出された目的関数φ（  ）の平均が使用される。簡略化を目的として、本実施形態での説明は単一ピクセルのケースについて詳述するが、当業者によって理解されるように、多くのピクセルを含んだ関心領域への一般化は容易である。
【００６９】
【数１７】
2017189612.tif 000019
【００７０】
ステップ１２０において関心領域を選択すると、方法１００は処理１３０に移る。処理１３０はステップ１３２、１３４、および１３６を含む。処理１３０において、逐次近似再構成において使用される正則化パラメータが、目的関数に対して求根法を使用することによって推定される。推定された正則化パラメータは、選択された関心領域において所望の統計的特性を有する再構成画像を生成するという有益な特性を有する。図２Ｂは、どのように超越目的関数が計算されることが可能かのフローチャートを示す。
【００７１】
ステップ１３２において、超越目的関数に入力される中間結果が計算される。表２は、超越目的関数の計算において使用される中間結果を要約する。図２Ｂに示されるように、重み行列が、生のＸ線データから計算される。次に、重み行列およびｄＦＯＶのサイズが使用されて、スケーリング係数ｃおよびγが計算される。ピクセルｊでの空間変化重みνｊは、重み行列、ピクセルｊの座標、およびｄＦＯＶのサイズを使用して計算される。空間変化重みνｊの定義は、正則化関数の定義から得られる。行列Ｒ〜（アールチルダ）についての局所的応答は、ピクセルｊの座標および正則化関数の定義における重みに依存する。行列ＢＷＡについての局所的応答は、ピクセルｊの座標、重み行列、およびｄＦＯＶのサイズに依存する。同様に、ある実装においてキャッピング値が使用される場合、行列ＢＷｒＷｓＡについての局所的応答はピクセルｊの座標、重み行列、ｄＦＯＶのサイズ、およびキャッピング値に依存する。局所的応答が超越目的関数の計算において直接使用されるのではなく、図２Ｂに示されるように、それぞれの行列の第ｊ列の三次元ＦＦＴが使用される。
【００７２】
ステップ１３２において中間結果を算出した後、ステップ１３４において超越目的関数が中間結果に基づいて計算される。これは式（１６）を使用して計算される。
【００７３】
【数１８】
2017189612.tif 000020
【００７４】
ステップ１３６において、求根法が適用されて、根における正則化パラメータについて解かれる。超越目的関数の根について解くために使用されることが可能な求根アルゴリズムの例は、ニュートン法、セカント法、補間ベースの方法、逆数補間法ベースの方法、ブレント法、ブーダン＝フーリエベースの方法、およびスツルム列ベースの方法を含む。さらに、図３および表３は、ステップ１３６を実行するために使用されることが可能な二分求根法３００を示す。
【００７５】
【数１９】
2017189612.tif 000021
【００７６】
方法３００のステップ３１０において、種々の入力パラメータが初期化される。例えば、関心領域についてのボクセル座標が入力として、他のユーザ定義の所望標準偏差σｊＵＳＥＲ等の入力とともに取得される。また、ループ変数ｎ、および正則化パラメータの範囲βｍｉｎ・βｍａｘ間も初期化される。このことは、表３における最初の４行（すなわち、表３に列挙されているステップ１）に対応する。表３に示されるように、停止の判定基準もこのときに初期化されることが可能であり、停止判定基準は誤差許容値ε（例えば１ＨＵ）および反復の最大値ｎｍａｘ（例えば２０）を含み得る。
【００７７】
方法３００のステップ３２０において、正則化パラメータ範囲の極値βｍｉｎ及びβｍａｘの中間点βｎが計算される（例えば、表３に列挙されているステップ２．ａ）。
【００７８】
方法３００のステップ３３０において、目的関数の中間点βｎにおける値が計算される。
【００７９】
方法３００のステップ３４０において、停止判定基準が評価される。例えば、目的関数の中間点βｎでの値が所定の誤差許容値ε未満である場合、停止判定基準が満たされ、中間点βｎが正則化パラメータとして出力される（例えば、表３に列挙されているステップ２．ｂ）。反復の最大値が超過されている場合、デフォルト値が正則化パラメータとして返される（例えば、表３に列挙されているステップ３）。他の実装においては、反復の最大値が超過されている場合、目的関数のゼロに最も近い値を与える正則化パラメータの集合｛βｍｉｎ，βｍａｘおよびβｎ｝が、正則化パラメータとして返される。停止判定基準が満たされない場合、方法３００はステップ３５０に移る。
【００８０】
方法３００のステップ３５０において、正則化パラメータ範囲が、目的関数の中間点βｎでの符号に基づいて変更される。目的関数が中間点βｎにおいて中間点βｍｉｎでの目的関数と同じ符号を有する場合、新たなβｍｉｎがβｎの値へと設定される。そうでない場合、新たなβｍａｘがβｎの値へと設定される（例えば、表３に列挙されているステップ２．ｃ）。
【００８１】
方法３００のステップ３６０において、ループの変数がインクリメントされ、別のループの繰り返しが、方法３００がステップ３２０に戻ることによって開始される（例えば、表３に列挙されているステップ２．ｄ）。
【００８２】
図２Ａに戻ると、再構成画像において所望の標準偏差を生成するための正則化パラメータが予測された後、方法１００は、ステップ１４０に移る。ステップＳ１４０において、画像は予測された正則化パラメータで実施された正則化付きＩＲを使用して再構成される。
【００８３】
図４Ａ、図４Ｂ、および図４Ｃは、異なるｄＦＯＶおよび異なる正則化パラメータについて取得された再構成画像の例を示す。図４Ａは、ｄＦＯＶサイズが４００ｍｍの再構成画像を示す。図４Ｂは、ｄＦＯＶサイズが２００ｍｍでかつ図４Ａにおいて使用されたのと同じ正則化パラメータを使用する再構成画像を示す。図４Ｃは、ｄＦＯＶサイズが２００ｍｍでかつ図４Ａにおいて使用されたのと同じ標準偏差を維持するために正則化パラメータ予測方法１００を使用する再構成画像を示す。各図について、多角形が決定され、標準偏差がそれぞれの多角形内のピクセルについて計算された。多角形は図４Ａ、図４Ｂ、および図４Ｃに重ねて表示されている。図４Ａ、図４Ｂ、および図４Ｃについて測定された標準偏差は、それぞれ２０．７ＨＵ、４０．０ＨＵ、および２３．４ＨＵ（ＨＵはハウンズフィールドユニットを意味する）である。目標の標準偏差は図４Ａおよび図４Ｃについて２０ＨＵであった。
【００８４】
ある実装では、方法１００は複数のピクセルに亘る所望の平均標準偏差をもたらす正則化パラメータを予測するように一般化されることが可能である。例えば、複数のピクセルは再構成画像のボリュームの内部から、または再構成画像の全体の中で異なる代表的位置から選択されることが可能である。
【００８５】
ある実装では、方法１００は、再構成されたｄＦＯＶ、患者のサイズ、およびＸ線線量レベルについて補償することによって再構成画像において目標のノイズを達成するためにＣＴ正則化付きＩＲを使用する正則化パラメータ予測装置を使用して実行されることが可能である。この装置は、次のステップを実行することが可能である。（ｉ）目標標準偏差を選択する、（ｉｉ）自動化されたピクセル選択処理を使用して関心対象の画像ピクセルを決定する、（ｉｉｉ）三次元ＦＦＴを使用して、フィッシャー情報量行列の局所的スペクトルおよび近似された正則化関数のヘシアンを計算する、（ｉｖ）直線探索アルゴリズムを使用して所定の標準偏差を満たす正則化パラメータを予測する、（ｖ）予測された正則化パラメータ値を使用してＩＲを実行する。
【００８６】
さらに、特定の実装では、装置は、関心対象のピクセル（領域）を決定するための自動化されたピクセル選択工程を使用するステップを実行することが可能であり、以下が含まれる。（ｉ）関心対象のピクセル（領域）はスキャンされている被検体ＯＢＪの内部の任意のピクセルであり得る、（ｉｉ）所与の組織タイプについてのピクセル位置が自動で特定されることが可能である。
【００８７】
ある実装では、装置は、さらに、以下のように局所的スペクトルλｊ〜（ラムダチルダ）を計算することによって方法１００を実行することが可能である。第１に、１つのピクセルｊが、正則化付きＩＲにおいて使用されるのと同じ順投影行列を使用して順投影される。第２に、結果が、統計的重み（ある実装では、上記のように、統計的重みはキャッピングの対象とされる）および冗長重みで乗じられる。第３に、積が、正則化付きＩＲにおいて使用されるのと同じ逆投影行列を使用して画像へと逆投影される。次に、これらの結果たる行列積の三次元ＦＦＴを実行することによってスペクトルλｊ〜（ラムダチルダ）が取得される。
【００８８】
ある実装では、装置は、さらに、以下のように局所的スペクトルλｊを計算することによって方法１００を実行することが可能である。第１に、１つのピクセルｊが、正則化付きＩＲにおいて使用されるのと同じ順投影行列を使用して順投影される。第２に、結果が、統計的重み（ある実装では、上記のように、統計的重みはキャッピングの対象とされる）および冗長重みで乗じられる。第３に、積が、正則化付きＩＲにおいて使用されるのと同じ逆投影行列を使用して画像へと逆投影される。次に、これらの結果たる行列積の三次元ＦＦＴを実行することによってスペクトルλｊが取得される。
【００８９】
ある実装では、装置は、さらに、以下のように局所的スペクトルμｊ〜（ミューチルダ）を計算することによって方法１００を実行することが可能である。第１に、三次元画像が定義される。第２に、ピクセルｊの値が全近隣重みの和へと設定される。第３に、ピクセルｊの各近隣が、負の近隣重みへと設定される。第４に、これらの結果たる行列積の三次元ＦＦＴを実行することによってスペクトルμｊ〜（ミューチルダ）が取得される。近隣重みは、近隣重みの和が１に等しくなるように正規化されることが可能である。
【００９０】
ある実装では、重みキャップ値はトレーニングデータを使用して選択または知得されることが可能である。例えば、重みキャップ値は、人工ニューラルネットワーク、サポートベクターマシン、または主成分分析等の機械学習を使用して、選択または知得されることが可能である。ある実装では、重みキャップ値は、デフォルト値に従って、実行される臨床作業または臨床撮影の特定のタイプに基づいて選択されることが可能である。
【００９１】
ある実装では、提案された方法は、ｄＦＯＶ内の任意の１つのピクセルについてのノイズの推定を可能にする。代替的な実装では、正則化パラメータの予測は、関心領域内の複数のピクセルのノイズの平均に基づくことが可能である。このように、正則化パラメータ予測方法は、複数ピクセルの標準偏差を平均することによって平均的画像ノイズを推定するために適用されることが可能である。
【００９２】
ある実装では、上記の諸式はユーザ選択の標準偏差に基づいて正則化パラメータを計算するのではなく、ユーザ選択の正則化パラメータに基づいて標準偏差を計算するために使用されることが可能である。このように、一方の方向での場合、方法は、標準偏差から開始して正則化パラメータを決定することが可能である。一方、逆の方向での場合、方法は、正則化パラメータから開始して、標準偏差を決定することが可能である。
【００９３】
ある実装では、方法１００は正則化付きＩＲを使用して取得される再構成画像において所望の局所空間解像度を取得するための正則化パラメータを推定するように修正されることが可能である。
【００９４】
ある実装では、Ｘ線データはＣＴ投影データとすることが可能であり、再構成画像はＣＴ画像とすることが可能である。他の実装では、Ｘ線データはＰＥＴデータとすることが可能であり、再構成画像はＰＥＴ画像とすることが可能である。
【００９５】
ある実装では、方法１００は正則化付きＩＲを使用する特定の撮影作業を最適化する正則化パラメータを推定するように修正されることが可能である。例えば、特定の撮影作業はディープライムメトリック（Detectability Index：モデルオブザーバの指標値等）を使用する撮影作業であり得る。ディープライムは、正則化パラメータを使用して変調伝達関数（ＭＴＦ）およびノイズパワースペクトル（ＮＰＳ）を計算することによって求められることが可能である。例えば、使用可能な非事前重み付けディープライム（NPW)は、次の式（１７）で表される。
【００９６】
【数２０】
2017189612.tif 000022
【００９７】
ある実装では、方法１００はＰＥＴ正則化付きＩＲおよびＳＰＥＣＴ正則化付きＩＲに適合されることが可能である。その場合、正則化パラメータは、空間での所望の位置（例えばピクセル位置または複数ピクセルを含んだ関心領域の位置）または病変検出能または病変動態パラメータ検出等の特定の撮影作業について、所望のノイズすなわち画像解像度を達成するように決定される。
【００９８】
方法１００の重要な２つの利点は次の通りである。（ｉ）提案されたノイズ解析は画質を著しく損なうことなく再構成速度を上げるためにマッチしていない投影行列ペアが使用される場合に実用的に素早くかつ効率的にＸ線ＣＴ画像再構成を分析するのに良く適している。（ｉｉ）提案された、正則化関数の局所的シフト不変ヘッセ行列近似は、従来の方法に対する改善をもたらす。方法１００は平均画像に基づいた近似およびモンテカルロベースの方法より実用的である。余分な再構成が不要だからである。また、方法１００は直接データ・プラグイン方式より安定している。
【００９９】
図５は、ＣＴ装置またはＣＴスキャナに含まれる放射線ガントリの実装を示す。図５に示されるように、放射線ガントリ５００は、側面からの様子が示されており、また、Ｘ線管５０１、環状フレーム５０２、および複数列または二次元アレイ型Ｘ線検出器５０３を含む。Ｘ線管５０１およびＸ線検出器５０３は、被検体ＯＢＪの反対側で環状フレーム５０２上に取り付けられ、環状フレーム５０２は回転軸ＲＡの周りで回転可能に支持される。回転ユニット５０７は、被検体ＯＢＪが軸ＲＡに沿って図示された頁の奥の方向または頁の手前の方向に移動されている間に、０．４秒／回転等の高速で環状フレーム５０２を回転させる。
【０１００】
本実施形態に係るＸ線コンピュータ断層撮影装置の第１実施形態が、添付図面を参照して以下に記載される。Ｘ線ＣＴ装置は、例えばＸ線管およびＸ線検出器が検査される被検体の周りをともに回転する回転／回転型装置、および、多くの検出器要素が環状または面状に配列されかつＸ線管のみが検査される被検体の周りを回転する固定／回転型装置等の様々な型の装置を含むことに留意されたい。本実施形態はどちらの型にも適用されることが可能である。ここでは、現在主流である回転／回転型が例示される。
【０１０１】
複数スライスＸ線ＣＴ装置は、高電圧発生器５０９をさらに含み、高電圧発生器５０９は、Ｘ線管５０１がＸ線を生成するように、スリップリング５０８を介してＸ線管５０１に印加される管電圧を生成する。Ｘ線は、被検体ＯＢＪに向かって放射され、被検体ＯＢＪの断面領域は円によって表される。例えば、Ｘ線管５０１は、第１スキャンにおいて、第２スキャンでの平均Ｘ線エネルギー未満の平均Ｘ線エネルギーを有する。したがって、異なるＸ線エネルギーに対応する２以上のスキャンが取得されることが可能である。Ｘ線検出器５０３は、被検体ＯＢＪを通り抜けて伝搬した照射Ｘ線を検出するために、被検体ＯＢＪのＸ線管５０１と反対側に位置する。Ｘ線検出器５０３は、さらに、独立した検出器要素または検出器ユニットを含む。
【０１０２】
ＣＴ装置は、さらに、Ｘ線検出器５０３からの検出信号を処理するための他の装置を含む。データ収集回路またはデータ収集システム（ＤＡＳ）５０４は、各チャネルについてのＸ線検出器５０３からの出力信号を電圧信号に変換し、電圧信号を増幅し、さらに電圧信号をディジタル信号へと変換する。Ｘ線検出器５０３およびＤＡＳ５０４は、所定の回転毎全投影数（ＴＰＰＲ）を処理するように構成される。
【０１０３】
上記のデータは、前処理装置５０６へ送信される。前処理装置５０６は非接触データ送信器５０５を介して放射線ガントリ５００の外部のコンソール内に収容される。前処理装置５０６は、生データに対して、感度補正等の特定の補正を実行する。メモリ５１２は、結果得るデータ（投影データとも称される）を再構成処理直前のステージで格納する。メモリ５１２は、データ／制御バス５１１によって、再構成装置５１４、入力装置５１５、およびディスプレイ５１６と共に、システムコントローラ５１０に接続される。システムコントローラ５１０は、電流をＣＴシステムの駆動のために十分なレベルまで制限する電流調整器５１３を制御する。
【０１０４】
検出器は、様々な世代のＣＴスキャナシステムの中の患者に対して、回転かつ／または固定される。一実施態様においては、上記のＣＴシステムは、第３世代ジオメトリシステムおよび第４世代ジオメトリシステムの組み合わせの例とすることが可能である。第３世代システムでは、Ｘ線管５０１およびＸ線検出器５０３は、環状フレーム５０２上で正反対に取り付けられ、環状フレーム５０２が回転軸ＲＡを軸として回転されている間に被検体ＯＢＪの周りで回転させられる。第４世代ジオメトリシステムでは、検出器は、患者の周りに固定して配置され、Ｘ線管は患者の周りを回転する。代替的な実施形態では、放射線ガントリ５００は、Ｃアームおよびスタンドによって支持される環状フレーム５０２上に配置された複数の検出器を有する。
【０１０５】
メモリ５１２は、Ｘ線検出器５０３でのＸ線照射量を表す測定値を格納することが可能である。さらに、メモリ５１２は、本実施形態に記載の方法１００およびＣＴ／ＰＥＴ正則化付きＩＲを実行するための専用プログラムを格納することが可能である。
【０１０６】
再構成装置５１４は、本実施形態に記載の超越目的関数の計算、方法１００、正則化付きＩＲ画像再構成を実行することが可能である。さらに、再構成装置５１４は、必要に応じて、ボリュームレンダリング処理および画像差分処理等の前再構成処理および画像処理を実行することが可能である。なお、独立した医用画像処理装置（ワークステーション）等により、再構成装置５１４の機能を実現するようにしてもよい。
【０１０７】
前処理装置５０６によって実行された投影データの前再構成処理は、例えば、検出器較正、検出器非線形性、および極性効果に対する補正を含むことが可能である。
【０１０８】
再構成装置５１４によって実行される後再構成処理は、必要に応じて、画像のフィルタリングおよびスムージング、ボリュームレンダリング処理、ならびに画像差分処理を含むことが可能である。画像再構成処理は、本実施形態に記載の方法１００を使用する画像再構成向けの任意のもの実装を含み得る。再構成装置５１４は、メモリを使用して、例えば投影データ、再構成画像、較正データ、およびパラメータ、ならびにコンピュータプログラムを格納することが可能である。
【０１０９】
再構成装置５１４は、特定用途向け集積回路（ＡＳＩＣ）、フィールドプログラマブルゲートアレイ（ＦＰＧＡ）、またはその他の複合プログラマブル論理デバイス（ＣＰＬＤ）など、ディスクリート型論理ゲートとして実現されることが可能なＣＰＵ（処理回路）を含むことが可能である。ＦＰＧＡまたはＣＰＬＤの実装は、ＶＨＤＬ、Ｖｅｒｉｌｏｇ、またはその他のハードウェア記述言語でコード化され得、また、コードはＦＰＧＡまたはＣＰＬＤにおいてメモリ内に直接格納されてもよいし、別個の電子メモリとして格納されてもよい。さらに、メモリ５１２はＲＯＭ、ＥＰＲＯＭ、ＥＥＰＲＯＭ（登録商標）、またはＦＬＡＳＨメモリ等の不揮発性とすることが可能である。メモリ５１２は、またＳＲＡＭまたはＤＲＡＭ等の揮発性でも良く、また、マイクロコントローラまたはマイクロプロセッサ等のプロセッサが、電子メモリ、およびＦＰＧＡまたはＣＰＬＤとメモリの間の連携を管理するために設けられることが可能である。
【０１１０】
代替として、再構成装置５１４におけるＣＰＵは、本実施形態に記載の機能を実行するコンピュータ可読命令の集合を含むコンピュータプログラムを実行することが可能であり、コンピュータプログラムは、任意の上記の非一時的電子メモリ、および／またはハードディスクドライブ、ＣＤ、ＤＶＤ、ＦＬＡＳＨドライブ、あるいはその他の任意の既知の記憶媒体に格納される。さらに、コンピュータ可読命令は、ユーティリティアプリケーション、バックグラウンドデーモン、またはオペレーティングシステムのコンポーネント、またはそれらの組み合わせとして提供され得、当業者にとって既知のオペレーティングシステム等のオペレーティングシステムとともに動作する。さらに、ＣＰＵは、指示を実行するために並行して協同で動作する、複数のプロセッサとして実装されることが可能である。
【０１１１】
一実装においては、再構成画像は、ディスプレイ５１６上に表示されることが可能である。ディスプレイ５１６は、ＬＣＤディスプレイ、ＣＲＴディスプレイ、プラズマディスプレイ、ＯＬＥＤ、ＬＥＤ、またはその他の当業者にとって既知のディスプレイとすることが可能である。
【０１１２】
メモリ５１２は、ハードディスクドライブ、ＣＤ−ＲＯＭドライブ、ＤＶＤドライブ、ＦＬＡＳＨドライブ、ＲＡＭ、ＲＯＭ、またはその他の当業者にとって既知の電子ストレージとすることが可能である。
【０１１３】
一実装においては、再構成画像は、ディスプレイ上に表示されることが可能である。ディスプレイは、ＬＣＤディスプレイ、ＣＲＴディスプレイ、プラズマディスプレイ、ＯＬＥＤ、ＬＥＤ、またはその他の当業者にとって既知のディスプレイとすることが可能である。
【０１１４】
メモリ１４７８は、ハードディスクドライブ、ＣＤ−ＲＯＭドライブ、ＤＶＤドライブ、ＦＬＡＳＨドライブ、ＲＡＭ、ＲＯＭ、またはその他の当業者にとって既知の電子ストレージとすることが可能である。
【０１１５】
ネットワークコントローラ１４８０は、ＣＴスキャナの様々な部分の間をインターフェースすることが可能である。また、ネットワークコントローラ１４８０は外部ネットワークとインターフェースすることも可能である。理解されるように、外部ネットワークは、インターネット等の公衆ネットワーク、またはＬＡＮあるいはＷＡＮ等のプライベートネットワーク、またはその任意の組合せとすることが可能であり、ＰＳＴＮサブネットワークまたはＩＳＤＮサブネットワークを含み得る。外部ネットワークは、有線であってもよいし、ＥＤＧＥ、３Ｇ、および４Ｇ無線セルラ・システムを含むセルラネットワーク等の無線であってもよい。無線ネットワークは既知の他の無線通信形態であることが可能である。
【０１１６】
いくつかの実装が本実施形態において記載されているが、これらの実装は、例としてのみ提示されており、開示の教示を制限することを意図されていない。実際、本実施形態に記載の新規な方法、装置、およびシステムは他の様々な形態で実現され得る。さらに、開示の要旨を逸脱することなく、本実施形態に記載の方法、装置、およびシステムの形態において種々の省略、置き換え、および変更が行われ得る。
【符号の説明】
【０１１７】
５００…放射線ガントリ、５０１…Ｘ線管、５０２…環状フレーム、５０３…Ｘ線検出器、５０４…データ収集システム、５０５…非接触データ送信器、５０６…前処理装置、５０７…回転ユニット、５０８…スリップリング、５０９…高電圧発生器、５１０…システムコントローラ、５１１…データ／制御バス、５１２…メモリ、５１３…電流調整器、５１４…再構成装置、５１５…入力装置、５１６…ディスプレイ、１４７８…メモリ、１４８０…ネットワークコントローラ
【図１Ａ】
2017189612.tif 000023
【図１Ｂ】
2017189612.tif 000024
【図１Ｃ】
2017189612.tif 000025
【図１Ｄ】
2017189612.tif 000026
【図２Ａ】
2017189612.tif 000027
【図２Ｂ】
2017189612.tif 000028
【図３】
2017189612.tif 000029
【図４Ａ】
2017189612.tif 000030
【図４Ｂ】
2017189612.tif 000031
【図４Ｃ】
2017189612.tif 000032
【図５】
2017189612.tif 000033